(57)【要約】　　　（修正有）【課題】位置決めするために活用していたピン方式や締結部材から直接凸部を設ける方法を実施しても治具の分解性を損なわず、第一締結、第二締結位置を遵守することで一方の締結部材の締結時のずれをなくした高精度の締結ができる部材締結方法およびこの方法に用いる構造体を提供する。【解決手段】一方の締結部材１にリベット１１，１２，１３，１４の外径より大径の穴２，３，４，５を、他方の締結部材１０に前記一方の締結部材１の前記穴２，３，４，５に任意のピッチで合せた穴６，７，８，９を設け、前記一方の締結部材１の前記穴２，５の直径が前記他方の締結部材１０の前記穴６，９より大きく、前記一方の締結部材１の前記穴３，４の直径が前記他方の締結部材１０の前記穴７，８より小さいようにし、締結手順を両締結部材の長手方向外側の穴２，５；６，９と前記リベット１１，１４との締結を第１または第２に行う部材締結方法。【選択図】　　　　図１
2004105992.tif 000002
【特許請求の範囲】
【請求項１】
一方の締結部材にリベットの外径より大径の穴を、他方の締結部材に前記一方の締結部材の前記穴に任意のピッチで合せた穴を設け、前記一方の締結部材から前記リベットを挿入して締結する部材締結方法において、前記一方の締結部材の前記穴と前記他方の締結部材の前記穴の関係を、両締結部材の長手方向外側の穴に関して、前記一方の締結部材の前記穴の直径が前記他方の締結部材の前記穴より大きく、両締結部材の長手方向内側の穴に関して、前記一方の締結部材の前記穴の直径が前記他方の締結部材の前記穴より小さいようにし、締結手順を両部材の長手方向外側の穴と前記リベットとの締結を第１または第２に行うことを特徴とする部材締結方法。
【請求項２】
一方の締結部材にリベットの外径より大径の穴を、他方の締結部材に前記一方の締結部材の前記穴に任意のピッチで合せた穴を設け、前記一方の締結部材から前記リベットを挿入して締結する部材締結方法に用いる構造体において、前記一方の締結部材の前記穴および前記他方の締結部材の前記穴が、両締結部材の長手方向外側の穴に関して、前記一方の締結部材の前記穴の直径が前記他方の締結部材の前記穴より大きく、両締結部材の長手方向内側の穴に関して、前記一方の締結部材の前記穴の直径が前記他方の締結部材の前記穴より小さい関係を有することを特徴とする部材締結方法に用いる構造体。
【請求項３】
前記一方の締結部材の前記穴および前記他方の締結部材の前記穴の他に複数の穴を有することを特徴とする請求項２記載の部材締結方法に用いる構造体。
【発明の詳細な説明】
【０００１】
【発明の属する技術分野】
本発明は、２つ部材を１つに接合する部材の締結、例えば、ブラインドリベット締結に使用する部材締結方法およびこの方法に用いる構造体に関するものである。
【０００２】
【従来の技術】
２つの部材を１つに接合するために両部材をリベットによって接合する技術は広く知られている。
【０００３】
【発明が解決しようとする課題】
従来の技術ではリベット挿入穴の直径を接合する部材の一方側の直径の方を大きくしているので最初に締結する一方の締結部材と他方の締結部材の穴中心がずれている場合にブラインドリベットの特徴により接合する際のリベット充填作用にてずれている接合する側の部材を中心へ戻そうとする力が働き全体の位置がずれてしまう欠点があった。
【０００４】
そのためにずれ防止策として一方の締結部材と他方の締結部材の穴をピン等で位置を固定して締結する方法を取っているが、締結した後にピンと両締結部材が噛んでしまいピンが抜けないためにピンの耐久性が悪くなったり、ピンを抜く際に締結部材に傷をつけてしまう不具合が発生していた。
【０００５】
また、これを回避するために締結部材のどちらかに凸部を設け対向する穴へ嵌め合わせることで事前に締結部材のずれを止めて締結する方法もあるが、これでは凸部加工時の位置精度を出すことができない（例えば、絞り加工）形状の締結部材の場合には凸部位置ずれが発生しリベット締結穴自体が合わないと言う不具合となるため平面部分のみの活用に限られていた。
【０００６】
本発明の目的は、位置決めするために活用していたピン方式や締結部材から直接凸部を設ける方法を実施しても治具の分解性を損なわず、第一締結、第二締結位置を遵守することで一方の締結部材の締結時のずれをなくした高精度の締結ができる部材締結方法およびこの方法に用いる構造体を提供することにある。
【０００７】
【課題を解決するための手段】
前記の課題を解決するために、請求項１記載の発明では、一方の締結部材にリベットの外径より大径の穴を、他方の締結部材に前記一方の締結部材の前記穴に任意のピッチで合せた穴を設け、前記一方の締結部材から前記リベットを挿入して締結する部材締結方法において、前記一方の締結部材の前記穴と前記他方の締結部材の前記穴の関係を、両締結部材の長手方向外側の穴に関して、前記一方の締結部材の前記穴の直径が前記他方の締結部材の前記穴より大きく、両締結部材の長手方向内側の穴に関して、前記一方の締結部材の前記穴の直径が前記他方の締結部材の前記穴より小さいようにし、締結手順を両締結部材の長手方向外側の穴と前記リベットとの締結を第１または第２に行う部材締結方法を最も主要な特徴とする。
【０００８】
請求項２記載の発明では、一方の締結部材にリベットの外径より大径の穴を、他方の締結部材に前記一方の締結部材の前記穴に任意のピッチで合せた穴を設け、前記一方の締結部材から前記リベットを挿入して締結する部材締結方法に用いる構造体において、前記一方の締結部材の前記穴および前記他方の締結部材の前記穴が、両締結部材の長手方向外側の穴に関して、前記一方の締結部材の前記穴の直径が前記他方の締結部材の前記穴より大きく、両締結部材の長手方向内側の穴に関して、前記一方の締結部材の前記穴の直径が前記他方の締結部材の前記穴より小さい関係を有する部材締結方法に用いる構造体を最も主要な特徴とする。
【０００９】
請求項３記載の発明では、請求項２記載の部材締結方法に用いる構造体であって、前記一方の締結部材の前記穴および前記他方の締結部材の前記穴の他に複数の穴を有することを主要な特徴とする。
【００１０】
【発明の実施の形態】
以下、図面により本発明の実施の形態を詳細に説明する。図１は本発明による部材締結方法に用いる構造体の実施の形態を示す分解斜視図である。図１には、構造体Ａを構成する一方の締結部材１および他方の締結部材１０、これらを締結するリベット１１，１２，１３，１４が示してある。
【００１１】
一方の締結部材１にリベット１１，１２，１３，１４の外径より大径の穴２，３，４，５を、他方の締結部材１０に前記一方の締結部材１の前記穴２，３，４，５に任意のピッチで合せた穴６，７，８，９を設けている。
【００１２】
前記一方の締結部材１の前記穴２，３，４，５および前記他方の締結部材１０の前記穴６，７，８，９は、両締結部材１，１０の長手方向外側の穴２，５および６，９に関して、前記一方の締結部材１の前記穴２，５の直径が前記他方の締結部材１０の前記穴６，９より大きくなっている。
【００１３】
両締結部材１，１０の長手方向内側の穴３，４および７，８に関して、前記一方の締結部材１の前記穴３，４の直径が前記他方の締結部材１０の前記穴６，９より小さくなっている。図１の実施の形態では両方の締結部材１，１０が４ケ所で締結される。
【００１４】
図２は両方の締結部材の長手方向外側の穴がリベットによって締結された状態を示す断面図である。図３は両方の締結部材の長手方向外側の穴の中心軸がずれている場合を示す概略図である。
【００１５】
図３の両方の締結部材１，１０の長手方向外側の穴２，５および６，９の中心軸がずれて穴２，６の範囲で合せられている場合に、まず、図２に示すように、両方の締結部材１，１０の長手方向外側の穴２，５および６，９を締結する。
【００１６】
図４は両方の締結部材の長手方向内側の穴がリベットによって締結された状態を示す断面図である。締結部材１，１０の長手方向内側の穴３および７がリベット１２によって締結されている。
【００１７】
図２において締結された２ヶ所のリベット止め、すなわち、両方の締結部材１，１０の長手方向外側の穴２，５および６，９でのリベットによる締結力は、図４で締結されるカシメ充填作用力Ｂ，Ｃより大きいため充填時のずれが発生しない締結が完成する。
【００１８】
他の実施の形態は図示しないが、複数方向、部材をコーナーで接触させて強度を保つ構造体の締結も考えられる。また、第一と第二締結以外の締結数が３打点以上ある場合も考えられる。
【００１９】
【発明の効果】
以上説明したように、請求項１および２によれば、本発明の部材締結方法およびこの方法に用いる構造体においては、リベットのカシメ性質で他方の締結部材の穴が小さく、一方の締結部材の穴の方が大きい条件の穴から先に締結することによって構造体を構成している締結部材の位置が正確に得られる構造体を提供できる。
【００２０】
請求項３によれば、複数の締結部分を有することでより締結力が増し、剛性の高い構造体が得られる。
【図面の簡単な説明】
【図１】本発明による部材締結方法に用いる構造体の実施の形態を示す分解斜視図である。
【図２】両方の締結部材の長手方向外側の穴がリベットによって締結された状態を示す断面図である。
【図３】両方の締結部材の長手方向外側の穴の中心軸がずれている場合を示す概略図である。
【図４】両方の締結部材の長手方向内側の穴がリベットによって締結された状態を示す断面図である。
【符号の説明】
Ａ　構造体
１　一方の締結部材
２　一方の締結部材の大径の穴
３　一方の締結部材の小径の穴
４　一方の締結部材の小径の穴
５　一方の締結部材の大径の穴
６　他方の締結部材の大径の穴
７　他方の締結部材の小径の穴
８　他方の締結部材の小径の穴
９　他方の締結部材の大径の穴
１０　他方の締結部材
１１　リベット
１２　リベット
１３　リベット
１４　リベット
【図１】
2004105992.tif 000003
【図２】
2004105992.tif 000004
【図３】
2004105992.tif 000005
【図４】
2004105992.tif 000006